(57)【要約】【課題】  急速的にアイスを製造できる共に、携帯の利便性が高い製氷機を提供する。【解決手段】  上下に開口を有する中空の筒体であり、下端に複数の支持部が設けられると共に、下部の外側に複数の熱放散口が形成されるベースと、前記ベースの内部に設けられる熱放散フィンと、熱を発生する一面が前記熱放散フィンと貼り合う急冷チップと、前記ベースの内部に収容されると共に、下部に急冷チップに対応する開口が形成される収容部と、前記収容部の内部に設けられ、底部に収容部の開口に対応する貫通孔が形成される内筒と、前記内筒の内部に収容され、一端に開口が形成されると共に、他端に封閉端が設けられる攪拌室と、前記ベースの上側に設けられ、上側にモータが設けられると共に、下側にモータによって駆動する攪拌室材が設けられるカバーと、を備えることを特徴とする製氷機【選択図】  図１
0003112254.tif 000002
【実用新案登録請求の範囲】
【請求項１】
上下に開口を有する中空の筒体であり、下端に複数の支持部が設けられると共に、下部の外側に複数の熱放散口が形成されるベースと、
前記ベースの内部に設けられる熱放散フィンと、
熱を発生する一面が前記熱放散フィンと貼り合う急冷チップと、
前記ベースの内部に収容されると共に、下部に急冷チップに対応する開口が形成される収容部と、
前記収容部の内部に設けられ、底部に収容部の開口に対応する貫通孔が形成される内筒と、
前記内筒の内部に収容され、一端に開口が形成されると共に、他端に封閉端が設けられる攪拌室と、
前記ベースの上側に設けられ、上側にモータが設けられると共に、下側にモータによって駆動する攪拌室材が設けられるカバーと、を備えることを特徴とする製氷機。
【請求項２】
前記攪拌室の封閉端に位置決め溝が形成され、前記攪拌室材は、一端が攪拌室の位置決め溝に位置決める中心ロッドと、夫々中心ロッドに組合わせる攪拌羽根とを有し、
前記内筒の底部に収縮部が設けられることを特徴とする請求項１に記載の製氷機。
【請求項３】
前記熱放散フィンの下側に熱放散ファンが設けられることを特徴とする請求項１又は２に記載の製氷機。
【考案の詳細な説明】
【技術分野】
【０００１】
本考案は、特に急速的にアイスを製造できる共に、携帯の利便性が高い製氷機に関するものである。
【背景技術】
【０００２】
従来の製氷機は体積が大きいコンプレッサーによってジュース、ミルクなどの飲料を氷に製造する。又、前記コンプレッサーは、製氷機の収容部の下部に設けられ、収容部の内部に設けられた直立式攪拌室材により、アイスを細かくする。
【考案の開示】
【考案が解決しようとする課題】
【０００３】
しかしながら、前記従来の製氷機は、体積の大きいコンプレッサーを設置したので、携帯し難しく、更に、収容部の内部における直立式攪拌室材によってアイスを混ぜて細かくする際、アイスの顆粒を均一にできないという問題があった。
【０００４】
そこで、案出されたのが本考案であって、急速的にアイスを製造できる共に、携帯の利便性が高い製氷機を提供することを目的としている。
【課題を解決するための手段】
【０００５】
本願の請求項１の考案は、上下に開口を有する中空の筒体であり、下端に複数の支持部が設けられると共に、下部の外側に複数の熱放散口が形成されるベースと、
前記ベースの内部に設けられる熱放散フィンと、
熱を発生する一面が前記熱放散フィンと貼り合う急冷チップと、
前記ベースの内部に収容されると共に、下部に急冷チップに対応する開口が形成される収容部と、
前記収容部の内部に設けられ、底部に収容部の開口に対応する貫通孔が形成される内筒と、
前記内筒の内部に収容され、一端に開口が形成されると共に、他端に封閉端が設けられる攪拌室と、
前記ベースの上側に設けられ、上側にモータが設けられると共に、下側にモータによって駆動する攪拌室材が設けられるカバーと、を備えることを特徴とする製氷機、を提供する。
【０００６】
本願の請求項２の考案は、前記攪拌室の封閉端に位置決め溝が形成され、前記攪拌室材は、一端が攪拌室の位置決め溝に位置決める中心ロッドと、夫々中心ロッドに組合わせる攪拌羽根とを有し、
前記内筒の底部に収縮部が設けられることを特徴とする請求項１に記載の製氷機、を提供する。
【０００７】
本願の請求項３の考案は、前記熱放散フィンの下側に熱放散ファンが設けられることを特徴とする請求項１又は２に記載の製氷機、を提供する。
【考案の効果】
【０００８】
本考案は上記の課題を解決するものであり、飲料を収容する攪拌室と貼合する急冷チップを用いることにより、体積の大きいコンプレッサーを不要となるので、携帯の利便性を高めることができると共に、急速的にアイスを製造することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る製氷機の分解斜視図であり、図２は本考案に係る製氷機の部分断面斜視図であり、図３は本考案に係る製氷機の斜視図である。
【００１１】
図１及び図２に示すように、本考案に係る製氷機は、ベース（１）と、熱放散ファン（２）と、熱放散フィン（３）と、急冷チップ（４）と、収容部（５）と、攪拌室（６）と、カバー（９）に設けられるモータ（７）と、カバー（９）の下部に設けられると共に、モータ（７）と連結される攪拌室材（８）とを備える。
【００１２】
前記ベース（１）は上下に開口を有する中空の筒体であり、下端に複数の支持部（１０）が設けられると共に、下部の外側に複数の熱放散口（１１）が形成される。
【００１３】
図２に示すように、前記熱放散ファン（２）は、ねじなどの固定部材によってベース（１）の内部に設けられる。前記熱放散フィン（３）は、熱放散ファン（２）の上側に設けられる。前記急冷チップ（４）は、熱を発生する一面が熱放散フィン（３）と貼り合う。
【００１４】
前記収容部（５）は、ベース（１）の内部に収容される中空の円柱体であり、下部に急冷チップ（４）に対応する開口（５１）が形成されると共に、内部に内筒（５２）が設けられ、該内筒（５２）の底部に収縮部（５２１）が設けられると共に、該収縮部（５２１）の底部に開口（５１）に対応する貫通孔（５２２）が形成される。
【００１５】
前記攪拌室（６）は、前記内筒（５２）の内部に収容され、一端に開口が形成されると共に、他端に収容体（５）の貫通孔（５２２）の上側に位置する封閉端が設けられ、該封閉端に位置決め溝（６１）が形成される。
【００１６】
前記カバー（９）は、収容部（５）の上端の開口をカバーすることにより、全ての部材を収容部（５）の内部に位置決める。
【００１７】
図２に示すように、前記熱放散フィン（３）、収容体（５）及び内筒（５２）がボルトなどの固定部材によって結合され、又、該熱放散フィン（３）、収容体（５）及び内筒（５２）が一体形成としてもよい。
【００１８】
前記攪拌室材（８）は、一端が攪拌室（６）の位置決め溝（６１）に位置決める中心ロッド（８２）と、夫々中心ロッド（８２）に組合わせる攪拌羽根（８１a）（８１b）とを有する。
【００１９】
本考案に係る製氷機を使用する際、モータ（６）により攪拌室材（８）を駆動し、該攪拌室材（８）には攪拌羽根（８１a）（８１b）を有するので、攪拌室（６）の内部における飲料を混ぜることができる。又、該攪拌羽根（８１a）（８１b）の自由端に連結部（８２b）が設けられることにより、アイスを均一に細かくすることができる。本考案に係る製氷機は、急冷チップ（４）によって攪拌室（６）の内部における飲料の温度を降下することにより、急速的にアイスを製造することができる。前記攪拌羽根（８１a）（８１b）の回転速度はベース（１）の外側における制御ボタン（１２）によって制御することができる。
【００２０】
又、急冷チップ（４）から発生した高熱は、熱放散フィン（３）、熱放散ファン（２）又はベース（１）の熱放散口（１１）によって快速に熱放散し、体積が大きくのコンプレッサーを要らずに、携帯の利便性を高めることができる。
【産業上の利用可能性】
【００２１】
本考案は上記の構成を有し、飲料を収容する攪拌室と貼合する急冷チップを用いることにより、体積の大きいコンプレッサーを不要となるので、携帯の利便性を高めることができると共に、急速的にアイスを製造することができる。
【図面の簡単な説明】
【００２２】
【図１】本考案に係る製氷機の分解斜視図である。
【図２】本考案に係る製氷機の部分断面斜視図である。
【図３】本考案に係る製氷機の斜視図である。
【符号の説明】
【００２３】
１          ベース
１０        支持部
１１        熱放散口
１２        制御ボタン
２          熱放散ファン
３          熱放散フィン
４          急冷チップ
５          収容部
５１        開口
５２        内筒
５２１      収縮部
５２２      貫通孔
６          攪拌室
６１        位置決め溝
７          モータ
８          攪拌室材
８１a        攪拌羽根
８１b        攪拌羽根
８２        中心ロッド
８２b        連結部
９          カバー
【図１】
0003112254.tif 000003
【図２】
0003112254.tif 000004
【図３】
0003112254.tif 000005